(57)【要約】【課題】電子回路において、プリント回路基板を大型化させることなく、複数個の不揮発性メモリにそれぞれ別のデータを書き込めるようにする。【解決手段】単一のコネクタ４と、第１系統の信号伝送ライン１０と、第２系統の信号伝送ライン２０を設ける。信号伝送ライン１０は、第１トランジスタ１１、１２のスイッチング動作により、コネクタ４を介してデータ送信装置１００から送信されたデータをＥＥＰＲＯＭ２に伝送する。信号伝送ライン２０は、第２トランジスタ２１、２２のスイッチング動作により、コネクタ４を介してデータ送信装置１００から送信されたデータをシリアルフラッシュメモリ３に伝送する。制御部５は、第１トランジスタ１１、１２及び第２トランジスタ２１、２２を排他的にオン／オフさせ、ＥＥＰＲＯＭ２又はシリアルフラッシュメモリ３に排他的に書き込む。【選択図】図２
2009301220.tif 000002
【特許請求の範囲】
【請求項１】
電子機器の動作に関するデータを記憶する不揮発性メモリと、前記不揮発性メモリに記憶させるデータを送信するデータ送信装置が接続され、該データ送信装置から送信されたデータを受信するコネクタと、前記不揮発性メモリ及びコネクタが実装されるプリント回路基板を備えた電子回路において、
前記不揮発性メモリは、前記プリント回路基板上に複数個実装され、
前記コネクタは、前記プリント回路基板上に単一個実装され、前記データ送信装置から送信され前記不揮発性メモリに記憶させるデータを受信するデータ受信端子を有し、
前記コネクタのデータ受信端子が受信したデータを前記複数個の不揮発性メモリに伝送する複数系統の信号伝送ラインと、この複数系統の信号伝送ラインのうちいずれかの信号伝送ラインを排他的に接続制御する制御手段とをさらに備えたことを特徴とする電子回路。
【請求項２】
前記複数系統の信号伝送ラインは、それぞれの系統毎に前記制御手段から出力された制御信号に基づいてスイッチング動作することにより、該系統の信号伝送ラインを導通させるスイッチング素子を有していることを特徴とする請求項１に記載の電子回路。
【請求項３】
前記複数個の不揮発性メモリは、第１不揮発性メモリ及び第２不揮発性メモリを有し、
前記複数系統の信号伝送ラインは、前記コネクタのデータ受信端子が受信したデータを前記第１不揮発性メモリに伝送する第１系統の信号伝送ラインと、前記コネクタのデータ受信端子が受信したデータを前記第２不揮発性メモリに伝送する第２系統の信号伝送ラインとを有し、
前記第１系統の信号伝送ラインは、前記制御手段から出力された制御信号に基づいてスイッチング動作することにより、該第１系統の信号伝送ラインを導通させる第１スイッチング素子を有し、
前記第２系統の信号伝送ラインは、前記制御手段から出力された制御信号に基づいてスイッチング動作することにより、該第２系統の信号伝送ラインを導通させる第２スイッチング素子を有し、
前記コネクタは、前記データ送信装置から出力された書き込み制御信号を受信する書き込み制御信号受信端子を有し、
前記制御手段は、前記コネクタの書き込み制御信号受信端子が第１信号を受信したとき、前記第２スイッチング素子をオンさせる信号を出力し、前記コネクタの書き込み制御信号受信端子が前記第１信号とは異なる第２信号を受信したとき、前記第１スイッチング素子をオンさせる信号を出力することを特徴とする請求項２に記載の電子回路。
【発明の詳細な説明】
【技術分野】
【０００１】
本発明は、不揮発性メモリが実装された電子回路に関するものである。
【背景技術】
【０００２】
従来から、電子機器のプリント回路基板上に実装された不揮発性メモリにデータを書き込む技術が種々検討されている。例えば、特許文献１及び特許文献２には、ＲＯＭライタの雄コネクタに対応する雌コネクタを基板に実装し、各コネクタを接続することによりＥＰＲＯＭにデータを書き込み可能にした技術が示されている。また、特許文献３には、ＥＥＰＲＯＭに接続されるランドをプリント回路基板に形成することにより、ＲＯＭライタ
をＥＥＰＲＯＭに接続する技術が示されている。また、特許文献４には、内蔵メモリに書き込むデータを含む映像信号を受信することにより、専用のコネクタをプリント回路基板に形成することなく、データを書き込み可能にした技術が示されている。
【特許文献１】特開平６−１３２０５６号公報
【特許文献２】特開平６−１３２０５５号公報
【特許文献３】特開２００４−２０８２５号公報
【特許文献４】特開２００７−１８０９８３号公報
【発明の開示】
【発明が解決しようとする課題】
【０００３】
ところで近年の電子機器においては、複雑な機能を実現するためにプリント回路基板上に例えばＥＥＰＲＯＭ及びフラッシュメモリ等の複数種類かつ複数個の不揮発性メモリを実装し、それぞれに別のデータを記憶させる場合が少なくない。特許文献１又は特許文献２に示されている技術をこのような複数個の不揮発性メモリが実装されている電子機器に適用しようとした場合、プリント回路基板上に複数の雌コネクタを実装しなければならないため、プリント回路基板が大型化し、電子機器の小型化を図ることができないという問題が生ずる。また、プリント回路基板に複数の雌コネクタを組み込むために電子機器の製造コストが増大するという問題も生ずる。また、特許文献３に示された技術にあっても、複数系統のランドをプリント回路基板に形成する必要があるため、上記と同様に、プリント回路基板が大型化し、電子機器の小型化を図ることができないという問題が生ずる。また、特許文献４に示された技術は、映像信号を受信するチューナを備えていない電子機器に適用することができない。仮にテレビジョン受像機等のチューナを備えた電子機器であっても、チューナを接続する前に不揮発性メモリにデータを書き込むことができないので、製造工程に制約がかかり、生産性が悪化する虞がある。
【０００４】
本発明は、上記課題を解決するためになされたものであり、プリント回路基板が大型化することなく、複数個の不揮発性メモリにそれぞれ別のデータを書き込むことができる電子回路を提供することを目的とする。
【課題を解決するための手段】
【０００５】
上記目的を達成するために請求項１の発明は、
電子機器の動作に関するデータを記憶する不揮発性メモリと、前記不揮発性メモリに記憶させるデータを送信するデータ送信装置が接続され、該データ送信装置から送信されたデータを受信するコネクタと、前記不揮発性メモリ及びコネクタが実装されるプリント回路基板を備えた電子回路において、
前記不揮発性メモリは、前記プリント回路基板上に複数個実装され、
前記コネクタは、前記プリント回路基板上に単一個実装され、前記データ送信装置から送信され前記不揮発性メモリに記憶させるデータを受信するデータ受信端子を有し、
前記コネクタのデータ受信端子が受信したデータを前記複数個の不揮発性メモリに伝送する複数系統の信号伝送ラインと、この複数系統の信号伝送ラインのうちいずれかの信号伝送ラインを排他的に接続制御する制御手段とをさらに備えたものである。
【０００６】
請求項２の発明は、請求項１に記載の電子回路において、
前記複数系統の信号伝送ラインは、それぞれの系統毎に前記制御手段から出力された制御信号に基づいてスイッチング動作することにより、該系統の信号伝送ラインを導通させるスイッチング素子を有しているものである。
【０００７】
請求項３の発明は、請求項２に記載の電子回路において、
前記複数個の不揮発性メモリは、第１不揮発性メモリ及び第２不揮発性メモリを有し、
前記複数系統の信号伝送ラインは、前記コネクタのデータ受信端子が受信したデータを前記第１不揮発性メモリに伝送する第１系統の信号伝送ラインと、前記コネクタのデータ受信端子が受信したデータを前記第２不揮発性メモリに伝送する第２系統の信号伝送ラインとを有し、
前記第１系統の信号伝送ラインは、前記制御手段から出力された制御信号に基づいてスイッチング動作することにより、該第１系統の信号伝送ラインを導通させる第１スイッチング素子を有し、
前記第２系統の信号伝送ラインは、前記制御手段から出力された制御信号に基づいてスイッチング動作することにより、該第２系統の信号伝送ラインを導通させる第２スイッチング素子を有し、
前記コネクタは、前記データ送信装置から出力された書き込み制御信号を受信する書き込み制御信号受信端子を有し、
前記制御手段は、前記コネクタの書き込み制御信号受信端子が第１信号を受信したとき、前記第２スイッチング素子をオンさせる信号を出力し、前記コネクタの書き込み制御信号受信端子が前記第１信号とは異なる第２信号を受信したとき、前記第１スイッチング素子をオンさせる信号を出力するものである。
【発明の効果】
【０００８】
請求項１の発明によれば、制御手段が複数系統の信号伝送ラインのうちいずれかの信号伝送ラインを排他的に接続制御することにより、単一のコネクタによって受信したデータをいずれか１つの不揮発性メモリに伝送することができる。これにより、単一のコネクタを介して受信したデータを複数個の不揮発性メモリに排他的に書き込むことができる。よって、プリント回路基板の小型化ひいては電子機器の小型化を図ると共に、電子機器の製造コストの低減を図ることが可能になる。
【０００９】
請求項２の発明によれば、制御手段から出力された微小な制御信号によっていずれかの系統の信号伝送ラインを導通制御できるので、データ書き込みに要する消費電力の低減を図ることができる。
【００１０】
請求項３の発明によれば、簡素かつ安価な構成で、第１不揮発性メモリ及び第２不揮発性メモリにそれぞれ異なるデータを記憶させることができ、電子機器の更なる小型化及び製造コストの低減を図ることができる。
【発明を実施するための最良の形態】
【００１１】
本発明の一実施形態による電子回路について図面を参照して説明する。図１は、電子機器に組み込まれる電子回路の概略構成を示している。電子回路１は、電子機器の動作に関するデータを記憶する２種類の不揮発性メモリ（後述するＥＥＰＲＯＭ２及びシリアルフラッシュメモリ３）を備え、電子機器の製造工程においてデータ送信装置（ＲＯＭライタ）１００と一時的に接続され、データ送信装置１００から送信された電子機器の動作に関するデータを不揮発性メモリに書き込む機能を有している。電子回路１は、電子機器の動作に関するデータを記憶するＥＥＰＲＯＭ２（第１不揮発性メモリ）及びシリアルフラッシュメモリ（第２不揮発性メモリ）３と、データ送信装置１００と接続されるコネクタ４と、電子回路１の制御を司る制御部（制御手段）５と、ＥＥＰＲＯＭ２、シリアルフラッシュメモリ３、コネクタ４及び制御部５が実装されるプリント回路基板６等を有している。
【００１２】
データ送信装置１００は、コンピュータ装置１０１と接続され、ＥＥＰＲＯＭ２及びシリアルフラッシュメモリ３に記憶させるデータを電子回路１に送信する。ＥＥＰＲＯＭ２及びシリアルフラッシュメモリ３に記憶させるデータは、コンピュータ装置１０１からデータ送信装置１００に送出される。データ送信装置１００は、コンピュータ装置１０１によって制御され、ＥＥＰＲＯＭ２及びシリアルフラッシュメモリ３に記憶させるデータ並びにその書き込み制御信号を電子回路１に送信する。
【００１３】
図２は、電子回路１を構成する回路を示している。電子回路１は、ＥＥＰＲＯＭ２及びシリアルフラッシュメモリ３と、コネクタ４と、制御部５と、ＥＥＰＲＯＭ２及びシリアルフラッシュメモリ３に対応する２系統の信号伝送ライン１０及び２０等を有している。制御部５は、２系統の信号伝送ライン１０及び２０のうちいずれかの信号伝送ライン１０又は２０を択一的に接続制御することにより、ＥＥＰＲＯＭ２又はシリアルフラッシュメモリ３へのデータの書き込みを制御する。
【００１４】
ＥＥＰＲＯＭ２は、例えば、電子回路１が組み込まれる電子機器が液晶テレビジョン受像機である場合、液晶の表示等に関するデータを記憶する。シリアルフラッシュメモリ３は、ＥＥＰＲＯＭ２が記憶するデータ以外のデータを記憶する。すなわち、ＥＥＰＲＯＭ２とシリアルフラッシュメモリ３には、それぞれ別のデータが書き込まれる。
【００１５】
コネクタ４は、プリント回路基板６上に単一個実装され、書き込み制御信号受信端子４１と、ＧＮＤ端子４２と、１対のデータ受信端子４３、４４と、電源端子４５等を有している。書き込み制御信号受信端子４１は、データ送信装置１００から出力された書き込み制御信号を受信する。書き込み制御信号受信端子４１が受信した書き込み制御信号は、制御部５に伝送される。データ受信端子４３、４４は、データ送信装置１００から送信されたＥＥＰＲＯＭ２に記憶させるデータを受信する。また、データ受信端子４３、４４は、データ送信装置１００から送信されたシリアルフラッシュメモリ３に記憶させるデータを受信する。電源端子４５は、データ送信装置１００に電力を供給する。
【００１６】
第１系統の信号伝送ライン１０は、コネクタ４を介してデータ送信装置１００から送信されたデータをＥＥＰＲＯＭ２に伝送する。第２系統の信号伝送ライン２０は、コネクタ４を介してデータ送信装置１００から送信されたデータを制御部５に伝送する。制御部５は、信号伝送ライン２０によって伝送されたデータをシリアルフラッシュメモリ３に書き込む。
【００１７】
第１系統の信号伝送ライン１０は、第１トランジスタ（第１スイッチング素子）１１、１２を有している。第１トランジスタ１１は、制御部５から出力された制御信号に基づいてスイッチング動作することにより、データ受信端子４３とＥＥＰＲＯＭ２を導通させる。第１トランジスタ１２は、制御部５から出力された制御信号に基づいてスイッチング動作することにより、データ受信端子４４とＥＥＰＲＯＭ２を導通させる。
【００１８】
第２系統の信号伝送ライン２０は、第２トランジスタ（第２スイッチング素子）２１、２２を有している。第２トランジスタ２１は、制御部５から出力された制御信号に基づいてスイッチング動作することにより、データ受信端子４３とシリアルフラッシュメモリ３を導通させる。第２トランジスタ２２は、制御部５から出力された制御信号に基づいてスイッチング動作することにより、データ受信端子４４とシリアルフラッシュメモリ３を導通させる。
【００１９】
制御部５は、書き込み制御信号受信端子４１から伝送された書き込み制御信号が入力される入力端子５１と、第１トランジスタ１１、１２及び第２トランジスタ２１、２２にスイッチング動作のための信号を出力する出力端子５２、５３を有している。
【００２０】
以下、第１トランジスタ１１、１２及び第２トランジスタ２１、２２のスイッチング動作について、図３を参照して説明する。コネクタ４の書き込み制御信号受信端子４１がデータ送信装置１００からハイの信号（第１信号）を受信し、入力端子５１にハイの信号が入力されたとき、制御部５は、出力端子５２からロー、出力端子５３からハイの信号を出力する。これに伴い、第１トランジスタ１１、１２がオフ、第２トランジスタ２１、２２がオンする。これにより、第１系統の信号伝送ライン１０が切断され、第２系統の信号伝送ライン２０が導通し、コネクタ４のデータ受信端子４３、４４を介して受信したデータは制御部５に伝送される。制御部５は、伝送されたデータに基づいてシリアルフラッシュメモリ３にデータを書き込む。
【００２１】
コネクタ４の書き込み制御信号受信端子４１がデータ送信装置１００からローの信号（第２信号）を受信し、入力端子５１にローの信号が入力されたとき、制御部５は、出力端子５２からハイ、出力端子５３からのロー信号を出力する。これに伴い、第１トランジスタ１１、１２がオン、第２トランジスタ２１、２２がオフする。これにより、第２系統の信号伝送ライン２０が切断され、第１系統の信号伝送ライン１０が導通し、コネクタ４のデータ受信端子４３、４４を介して受信したデータはＥＥＰＲＯＭ２に伝送され、ＥＥＰＲＯＭ２にデータが書き込まれる。
【００２２】
以上のように、本実施形態の電子回路１によれば、制御部５が２系統の信号伝送ライン１０及び２０のうちいずれかの信号伝送ライン１０又は２０を排他的に接続制御することにより、単一のコネクタ４によって受信したデータをＥＥＰＲＯＭ２又はシリアルフラッシュメモリ３に伝送することができる。これにより、単一のコネクタ４を介して受信したデータをＥＥＰＲＯＭ２又はシリアルフラッシュメモリ３に排他的に書き込むことができる。よって、プリント回路基板６の小型化ひいては電子機器の小型化を図ると共に、電子機器の製造コストの低減を図ることが可能になる。
【００２３】
また、制御部５から第１トランジスタ１１、１２及び第２トランジスタ２１、２２に出力される微小な制御信号によっていずれかの系統の信号伝送ライン１０又は２０を導通制御できるので、データ書き込みに要する消費電力の低減を図ることができる。
【００２４】
なお、本発明は上記実施形態の構成に限られることなく、少なくとも単一のコネクタによって受信したデータをいずれかの信号伝送ライン１０又は２０を介してＥＥＰＲＯＭ２又はシリアルフラッシュメモリ３に伝送できるように構成されていればよい。また、本発明は種々の変形が可能であり、例えば、電子機器の動作に関するデータを記憶する不揮発性メモリは、２種類に限られることなく、それ以上の複数種類であってもよい。この場合においては、信号伝送ラインを不揮発性メモリの種類数に応じて設ければよい。不揮発性メモリは、同一種類のものを複数個用いてもよい。
【図面の簡単な説明】
【００２５】
【図１】本発明の一実施形態による電子回路の概略構成を示す図。
【図２】同電子回路の回路図。
【図３】書き込み制御信号と第１トランジスタ及び第２トランジスタの動作を示す図。
【符号の説明】
【００２６】
１    電子回路
２    ＥＥＰＲＯＭ
３    シリアルフラッシュメモリ
４    コネクタ
５    制御部（制御手段）
１０    第１系統の信号伝送ライン
１１、１２    第１トランジスタ（第１スイッチング素子）
２０    第２系統の信号伝送ライン
２１、２２    第２トランジスタ（第２スイッチング素子）
４１    書き込み制御信号受信端子
４３、４４    データ受信端子
１００    データ送信装置
【図１】
2009301220.tif 000003
【図２】
2009301220.tif 000004
【図３】
2009301220.tif 000005